(57)【要約】【課題】端子金具の接続作業性に優れ、かつ、既存の端子金具の適用も可能にすること。【解決手段】平板状の電気接続体１１に貫通孔１１ａが形成された一方の端子金具１０を他方の端子金具２０に対して電気的に接続させる導電性の電気接続部材３０と、電気接続部材３０が有する端子接続構造体４０と、を備え、端子接続構造体４０は、電気接続体１１の平板部１１ｂを挟持する挟持構造４１と、電気接続体１１を挟持構造４１による挟持位置まで挿入させる挿入経路４２と、挟持構造４１で挟持されている電気接続体１１の貫通孔１１ａに進入して、貫通孔１１ａの内周壁面側を係止することができる係止部４３と、を有すること。【選択図】図１
2020021679.tif 000002
【特許請求の範囲】
【請求項１】
平板状の電気接続体に貫通孔が形成された一方の端子金具を他方の端子金具に対して電気的に接続させる導電性の電気接続部材と、
前記電気接続部材が有する端子接続構造体又は前記電気接続部材に対して電気的に接続される別体の導電性の端子接続構造体と、
を備え、
前記端子接続構造体は、前記電気接続体の平板部を挟持する挟持構造と、前記電気接続体を前記挟持構造による挟持位置まで挿入させる挿入経路と、前記挟持構造で挟持されている前記電気接続体の前記貫通孔に進入して、前記貫通孔の内周壁面側を係止することができる係止部と、を有することを特徴とした端子接続構造。
【請求項２】
前記挟持構造は、前記電気接続体の前記平板部における一方の平面に対して押圧力を作用させ且つ前記貫通孔を覆う第１押圧部と、前記平板部における他方の平面に対して押圧力を作用させる少なくとも１つの第２押圧部と、を備え、
前記係止部は、前記第１押圧部から突出させることを特徴とした請求項１に記載の端子接続構造。
【請求項３】
前記挟持構造は、前記電気接続体の前記平板部における一方の平面に対して押圧力を作用させ且つ前記貫通孔を覆う第１押圧部と、前記平板部における他方の平面に対して押圧力を作用させる２つの第２押圧部と、を備え、
前記第２押圧部は、固定端を前記第１押圧部に設けると共に、自由端を前記平板部の前記他方の平面に対向配置させ、かつ、前記自由端における前記平板部の前記他方の平面に対する対向壁面から前記平板部の前記他方の平面に対して押圧力を作用させる片持ちの片体であり、
前記係止部は、それぞれの前記第２押圧部における前記自由端から各々突出させることを特徴とした請求項１に記載の端子接続構造。
【請求項４】
前記挟持構造は、前記電気接続体の前記平板部における一方の平面に対向配置される対向壁体と、前記対向壁体から突出させ且つ前記貫通孔の内周壁面側に押圧力を作用させる前記係止部と、前記平板部における他方の平面に対して押圧力を作用させる少なくとも１つの押圧部と、を備えることを特徴とした請求項１に記載の端子接続構造。
【請求項５】
前記端子接続構造体とは別体の前記電気接続部材は、前記電気接続体の前記平板部との間で、互いの一方の平面同士を重ね合わせて電気的に接続させる平板状の電気接続部を有し、
前記挟持構造は、前記電気接続体の前記平板部における他方の平面に対して押圧力を作用させ且つ前記貫通孔を覆う第１押圧部と、前記電気接続部の他方の平面に対して押圧力を作用させることによって、前記電気接続部を介して前記平板部の前記一方の平面に対して押圧力を作用させる第２押圧部と、を備え、
前記端子接続構造体は、前記第１押圧部から突出させた前記係止部としての第１係止部と、前記挟持構造で挟持されている前記電気接続部の貫通孔に進入して、前記電気接続部の前記貫通孔の内周壁面側を係止することができる第２係止部と、を有することを特徴とした請求項１に記載の端子接続構造。
【請求項６】
貫通孔が形成された平板状の電気接続体を前記他方の端子金具が有する場合、前記端子接続構造体を前記一方の端子金具側と前記他方の端子金具側の双方に各々設けることを特徴とした請求項１から５の内の何れか１つに記載の端子接続構造。
【請求項７】
平板状の電気接続体に貫通孔が形成された一方の端子金具を他方の端子金具に対して電気的に接続させる導電性の電気接続部材と、
前記電気接続部材が有する端子接続構造体又は前記電気接続部材に対して電気的に接続される別体の導電性の端子接続構造体と、
前記一方の端子金具と前記他方の端子金具と前記電気接続部材と前記端子接続構造体とを収容する筐体と、
を備え、
前記端子接続構造体は、前記電気接続体の平板部を挟持する挟持構造と、前記電気接続体を前記挟持構造による挟持位置まで挿入させる挿入経路と、前記挟持構造で挟持されている前記電気接続体の前記貫通孔に進入して、前記貫通孔の内周壁面側を係止することができる係止部と、を有することを特徴とした電気接続箱。
【請求項８】
平板状の電気接続体に貫通孔が形成された一方の端子金具と、
他方の端子金具と、
前記一方の端子金具を前記他方の端子金具に対して電気的に接続させる導電性の電気接続部材と、
前記電気接続部材が有する端子接続構造体又は前記電気接続部材に対して電気的に接続される別体の導電性の端子接続構造体と、
前記一方の端子金具と前記他方の端子金具と前記電気接続部材と前記端子接続構造体とを収容し且つ電線を内方から外方に引き出させる筐体と、
を備え、
前記端子接続構造体は、前記電気接続体の平板部を挟持する挟持構造と、前記電気接続体を前記挟持構造による挟持位置まで挿入させる挿入経路と、前記挟持構造で挟持されている前記電気接続体の前記貫通孔に進入して、前記貫通孔の内周壁面側を係止することができる係止部と、を有することを特徴としたワイヤハーネス。
【発明の詳細な説明】
【技術分野】
【０００１】
本発明は、端子接続構造、電気接続箱及びワイヤハーネスに関する。
【背景技術】
【０００２】
従来、端子金具を相手方の接続対象物に物理的且つ電気的に接続させるための端子接続構造が知られている。その端子接続構造としては、例えば、端子金具と接続対象物とを螺子部材で共締め固定する構造のものが知られている。この種の端子接続構造については、下記の特許文献１及び２に開示されている。
【先行技術文献】
【特許文献】
【０００３】
【特許文献１】特開２００４−２０７０７７号公報
【特許文献２】特開２０１４−１３５２２４号公報
【発明の概要】
【発明が解決しようとする課題】
【０００４】
ところで、螺子部材を用いる端子接続構造は、端子金具や接続対象物の貫通孔に雄螺子部材を挿通させるなど、多くの作業工程を必要とする。このため、上記の特許文献１及び２には、端子金具の接続作業性の向上を目的とした端子接続構造についても開示されている。特許文献１の端子接続構造においては、端子金具の電気接続部から可撓片を突出させ、その可撓片を接続対象物の貫通孔に挿通させることによって、電気接続部と可撓片とで接続対象物を挟み込んでいる。また、特許文献２の端子接続構造においては、端子金具が、湾曲させた電気接続部と、電気接続部の一端から突出させた第１係合部と、電気接続部の他端側に設けた第２係合部（貫通孔）と、を有している。この特許文献２の端子接続構造では、第１係合部を接続対象物の第１係止部（貫通孔）に挿通させて引っ掛けると共に、第２係合部（貫通孔）に接続対象物の第２係止部を挿通させて引っ掛けることによって、電気接続部の凸側を接続対象物に圧接させる。しかしながら、これら従来の端子接続構造は、それぞれに専用の端子金具を用意しなければならない。
【０００５】
そこで、本発明は、端子金具の接続作業性に優れ、かつ、既存の端子金具の適用も可能な端子接続構造、電気接続箱及びワイヤハーネスを提供することを、その目的とする。
【課題を解決するための手段】
【０００６】
上記目的を達成する為、本発明に係る端子接続構造は、平板状の電気接続体に貫通孔が形成された一方の端子金具を他方の端子金具に対して電気的に接続させる導電性の電気接続部材と、前記電気接続部材が有する端子接続構造体又は前記電気接続部材に対して電気的に接続される別体の導電性の端子接続構造体と、を備え、前記端子接続構造体は、前記電気接続体の平板部を挟持する挟持構造と、前記電気接続体を前記挟持構造による挟持位置まで挿入させる挿入経路と、前記挟持構造で挟持されている前記電気接続体の前記貫通孔に進入して、前記貫通孔の内周壁面側を係止することができる係止部と、を有することを特徴としている。
【０００７】
ここで、前記挟持構造は、前記電気接続体の前記平板部における一方の平面に対して押圧力を作用させ且つ前記貫通孔を覆う第１押圧部と、前記平板部における他方の平面に対して押圧力を作用させる少なくとも１つの第２押圧部と、を備え、前記係止部は、前記第１押圧部から突出させることが望ましい。
【０００８】
また、前記挟持構造は、前記電気接続体の前記平板部における一方の平面に対して押圧力を作用させ且つ前記貫通孔を覆う第１押圧部と、前記平板部における他方の平面に対して押圧力を作用させる２つの第２押圧部と、を備え、前記第２押圧部は、固定端を前記第１押圧部に設けると共に、自由端を前記平板部の前記他方の平面に対向配置させ、かつ、前記自由端における前記平板部の前記他方の平面に対する対向壁面から前記平板部の前記他方の平面に対して押圧力を作用させる片持ちの片体であり、前記係止部は、それぞれの前記第２押圧部における前記自由端から各々突出させることが望ましい。
【０００９】
また、前記挟持構造は、前記電気接続体の前記平板部における一方の平面に対向配置される対向壁体と、前記対向壁体から突出させ且つ前記貫通孔の内周壁面側に押圧力を作用させる前記係止部と、前記平板部における他方の平面に対して押圧力を作用させる少なくとも１つの押圧部と、を備えることが望ましい。
【００１０】
また、前記端子接続構造体とは別体の前記電気接続部材は、前記電気接続体の前記平板部との間で、互いの一方の平面同士を重ね合わせて電気的に接続させる平板状の電気接続部を有し、前記挟持構造は、前記電気接続体の前記平板部における他方の平面に対して押圧力を作用させ且つ前記貫通孔を覆う第１押圧部と、前記電気接続部の他方の平面に対して押圧力を作用させることによって、前記電気接続部を介して前記平板部の前記一方の平面に対して押圧力を作用させる第２押圧部と、を備え、前記端子接続構造体は、前記第１押圧部から突出させた前記係止部としての第１係止部と、前記挟持構造で挟持されている前記電気接続部の貫通孔に進入して、前記電気接続部の前記貫通孔の内周壁面側を係止することができる第２係止部と、を有することが望ましい。
【００１１】
また、貫通孔が形成された平板状の電気接続体を前記他方の端子金具が有する場合、前記端子接続構造体を前記一方の端子金具側と前記他方の端子金具側の双方に各々設けることが望ましい。
【００１２】
また、上記目的を達成する為、本発明に係る電気接続箱は、平板状の電気接続体に貫通孔が形成された一方の端子金具を他方の端子金具に対して電気的に接続させる導電性の電気接続部材と、前記電気接続部材が有する端子接続構造体又は前記電気接続部材に対して電気的に接続される別体の導電性の端子接続構造体と、前記一方の端子金具と前記他方の端子金具と前記電気接続部材と前記端子接続構造体とを収容する筐体と、を備え、前記端子接続構造体は、前記電気接続体の平板部を挟持する挟持構造と、前記電気接続体を前記挟持構造による挟持位置まで挿入させる挿入経路と、前記挟持構造で挟持されている前記電気接続体の前記貫通孔に進入して、前記貫通孔の内周壁面側を係止することができる係止部と、を有することを特徴としている。
【００１３】
また、上記目的を達成する為、本発明に係るワイヤハーネスは、平板状の電気接続体に貫通孔が形成された一方の端子金具と、他方の端子金具と、前記一方の端子金具を前記他方の端子金具に対して電気的に接続させる導電性の電気接続部材と、前記電気接続部材が有する端子接続構造体又は前記電気接続部材に対して電気的に接続される別体の導電性の端子接続構造体と、前記一方の端子金具と前記他方の端子金具と前記電気接続部材と前記端子接続構造体とを収容し且つ電線を内方から外方に引き出させる筐体と、を備え、前記端子接続構造体は、前記電気接続体の平板部を挟持する挟持構造と、前記電気接続体を前記挟持構造による挟持位置まで挿入させる挿入経路と、前記挟持構造で挟持されている前記電気接続体の前記貫通孔に進入して、前記貫通孔の内周壁面側を係止することができる係止部と、を有することを特徴としている。
【発明の効果】
【００１４】
本発明に係る端子接続構造は、挟持構造による平板部に対する挟持力によって、電気接続体を保持することができる。また、この端子接続構造は、一対の貫通孔と係止部によって、電気接続体の相対的な位置ずれの発生を抑えることができる。そして、この端子接続構造においては、挟持構造による挟持位置までの電気接続体の挿入経路が設けられているので、その挟持位置まで電気接続体を差し入れていくことによって、係止部を貫通孔に進入させることができる。つまり、本発明に係る端子接続構造は、端子接続構造体に対する電気接続体の簡易な接続作業を行うだけで、その端子接続構造体に電気接続体を固定させることができるので、端子金具の接続作業性に優れたものとなる。また、本発明に係る端子接続構造は、かかる構成を採っているので、平板状の電気接続体に貫通孔が形成された既存の端子金具の適用をも可能にする。よって、本発明に係る端子接続構造は、端子金具の接続作業性に優れており、かつ、既存の端子金具を適用することもできる。更に、本発明に係る電気接続箱及びワイヤハーネスは、その端子接続構造を備えているので、この端子接続構造が奏する効果を同様に得ることができる。
【図面の簡単な説明】
【００１５】
【図１】図１は、実施形態の端子接続構造、電気接続箱及びワイヤハーネスを示す分解斜視図である。
【図２】図２は、実施形態の端子接続構造、電気接続箱及びワイヤハーネスを示す斜視図である。
【図３】図３は、実施形態の端子接続構造を端子金具と共に示す斜視図である。
【図４】図４は、図３のＸ１−Ｘ１線断面図である。
【図５】図５は、実施形態の端子接続構造を示す斜視図である。
【図６】図６は、変形例１の端子接続構造、電気接続箱及びワイヤハーネスを示す分解斜視図である。
【図７】図７は、変形例１の端子接続構造、電気接続箱及びワイヤハーネスを示す斜視図である。
【図８】図８は、変形例１の端子接続構造を端子金具と共に示す斜視図である。
【図９】図９は、図８のＸ２−Ｘ２線断面図である。
【図１０】図１０は、変形例１の端子接続構造を示す斜視図である。
【図１１】図１１は、変形例２の端子接続構造、電気接続箱及びワイヤハーネスを示す分解斜視図である。
【図１２】図１２は、変形例２の端子接続構造、電気接続箱及びワイヤハーネスを示す斜視図である。
【図１３】図１３は、変形例２の端子接続構造を端子金具と共に示す斜視図である。
【図１４】図１４は、図１３のＸ３−Ｘ３線断面図である。
【図１５】図１５は、変形例２の端子接続構造を示す斜視図である。
【図１６】図１６は、変形例３の端子接続構造、電気接続箱及びワイヤハーネスを示す分解斜視図である。
【図１７】図１７は、変形例３の端子接続構造を端子金具と共に示す斜視図である。
【図１８】図１８は、図１７のＸ４−Ｘ４線断面図である。
【図１９】図１９は、変形例３の端子接続構造を示す斜視図である。
【図２０】図２０は、変形例３の端子接続構造を別角度から見た斜視図である。
【発明を実施するための形態】
【００１６】
以下に、本発明に係る端子接続構造、電気接続箱及びワイヤハーネスの実施形態を図面に基づいて詳細に説明する。尚、この実施形態によりこの発明が限定されるものではない。
【００１７】
［実施形態］
本発明に係る端子接続構造、電気接続箱及びワイヤハーネスの実施形態の１つを図１から図５に基づいて説明する。
【００１８】
図１から図５の符号１は、本実施形態の端子接続構造を示す。また、図１及び図２の符号ＪＢ１と符号ＷＨ１は、各々、その端子接続構造１を備えた本実施形態の電気接続箱と、この電気接続箱ＪＢ１を備えた本実施形態のワイヤハーネスと、を示す。
【００１９】
端子接続構造１とは、一方の端子金具１０と他方の端子金具２０とを電気的に接続させるために用意されたものである（図１から図５）。
【００２０】
それぞれの端子金具１０，２０は、各々、金属等の導電性材料で成形する。例えば、それぞれの端子金具１０，２０は、各々、金属板を母材にしてプレス成形されている。この端子接続構造１において、それぞれの端子金具１０，２０は、各々、電線Ｗｅに対して物理的且つ電気的に接続されたものであってもよく、電子部品ＥＰが備えるものであってもよい。よって、それぞれの端子金具１０，２０は、それぞれに異なる電線Ｗｅに取り付けられたものであってもよく、それぞれに異なる電子部品ＥＰが備えるものであってもよく、一方が電線Ｗｅに取り付けられ且つ他方が電子部品ＥＰの備えるものであってもよい。ここでは、電線Ｗｅに取り付けられた一方の端子金具１０と、電子部品ＥＰが備える他方の端子金具２０と、を例に挙げて説明する（図１）。
【００２１】
一方の端子金具１０は、平板状の電気接続体１１と、電線Ｗｅの端末に対して物理的且つ電気的に接続される電線接続体１２と、を有する（図１から図３）。電気接続体１１は、平板状に形成されたものであれば、如何様な形状のものであってもよい。この例示では、一方の端子金具１０に既存の所謂丸形端子を用いるので、電気接続体１１が円板状に形成されている。その電気接続体１１には、円形の貫通孔１１ａが形成されている（図１）。この電気接続体１１においては、その貫通孔１１ａの周囲が円環状の平板部１１ｂになっている。この例示の一方の端子金具１０は、電線接続体１２を電線Ｗｅの端末に圧着固定することによって、この電線接続体１２で加締められた電線Ｗｅの芯線Ｗｅａに対して電気的に接続させる。
【００２２】
他方の端子金具２０は、平板状の電気接続体２１を有する（図１から図４）。その電気接続体２１は、平板状に形成されたものであれば、如何様な形状のものであってもよい。この例示の電気接続体２１は、所謂雄タブ状に形成されており、電子部品ＥＰの本体ＥＰ０から突出させている（図１）。その電気接続体２１には、円形の貫通孔２１ａが形成されている。この電気接続体２１においては、その貫通孔２１ａの周囲が雄タブ状の平板部２１ｂになっている。
【００２３】
ここで、電子部品ＥＰとは、例えば、リレー、ヒューズ等の回路保護部品、コネクタなどのことを指している。本実施形態では、回路基板、電子制御ユニット（所謂ＥＣＵ）等の電子機器についても、電子部品ＥＰの一形態として考える。この例示の電子部品ＥＰは、回路保護部品であり、他方の端子金具２０と同等の形状の端子金具ＥＰ１が設けられている（図１）。その端子金具ＥＰ１には、電線Ｗｅ０（図２）が電気的に接続される。
【００２４】
端子接続構造１は、一方の端子金具１０を他方の端子金具２０に対して電気的に接続させる導電性の電気接続部材３０を備える（図１から図５）。その電気接続部材３０は、金属等の導電性材料で成形する。この例示の電気接続部材３０は、金属板を母材にして板状にプレス成形された所謂バスバと称されるものであり、平板状の主体３１を有する。
【００２５】
端子接続構造１は、その電気接続部材３０が有する端子接続構造体４０又は電気接続部材３０に対して電気的に接続される別体の導電性の端子接続構造体４０を備える（図１から図５）。つまり、この端子接続構造１においては、端子接続構造体４０を電気接続部材３０の一部分として設けてもよく、端子接続構造体４０を電気接続部材３０とは別の部品として設けてもよい。この例示では、端子接続構造体４０を電気接続部材３０の一部分として設けている。尚、端子接続構造体４０を電気接続部材３０とは別の部品として設ける場合には、電気接続部材３０と端子接続構造体４０とを溶接又は連結機構等で直接的に繋いでもよく、電気接続部材３０と端子接続構造体４０との間に導電性の中継部材を介在させて間接的に繋いでもよい。
【００２６】
この例示では、先に示したように、貫通孔２１ａが形成された平板状の電気接続体２１を他方の端子金具２０も有している。そこで、この例示では、端子接続構造体４０を一方の端子金具１０側と他方の端子金具２０側の双方に各々設ける（図１から図５）。従って、この例示の電気接続部材３０は、２つの端子接続構造体４０（第１端子接続構造体４０Ａ、第２端子接続構造体４０Ｂ）を有しており、第１端子接続構造体４０Ａで一方の端子金具１０を物理的且つ電気的に接続させ、第２端子接続構造体４０Ｂで他方の端子金具２０を物理的且つ電気的に接続させる。
【００２７】
ここで、第１端子接続構造体４０Ａと第２端子接続構造体４０Ｂは、各々同じ形状のものとして形成する。このため、以下においては、それぞれの代表として第１端子接続構造体４０Ａを詳述し、第２端子接続構造体４０Ｂを簡略な説明に止める。
【００２８】
第１端子接続構造体４０Ａは、電気接続体１１の平板部１１ｂを挟持する挟持構造４１と、電気接続体１１を挟持構造４１による挟持位置まで挿入させる挿入経路４２と、その挟持構造４１で挟持されている電気接続体１１の貫通孔１１ａに進入して、その貫通孔１１ａの内周壁面側を係止することができる係止部４３と、を有する（図１、図４及び図５）。
【００２９】
この第１端子接続構造体４０Ａは、その挟持構造４１による平板部１１ｂに対する挟持力によって、電気接続体１１を保持することができる。また、この第１端子接続構造体４０Ａは、一対の貫通孔１１ａと係止部４３によって、電気接続体１１の相対的な位置ずれの発生を抑えることができる。従って、本実施形態の端子接続構造１は、その挟持構造４１による平板部１１ｂに対する挟持力と、一対の貫通孔１１ａと係止部４３による電気接続体１１の位置ずれ抑止機構と、によって、第１端子接続構造体４０Ａで電気接続体１１を固定することができる。
【００３０】
更に、この第１端子接続構造体４０Ａにおいては、挟持構造４１による挟持位置までの電気接続体１１の挿入経路４２が設けられているので、その挟持位置まで電気接続体１１を差し入れていくことによって、係止部４３を貫通孔１１ａに進入させることができる。つまり、本実施形態の端子接続構造１は、第１端子接続構造体４０Ａに対する電気接続体１１の簡易な接続作業を行うだけで、その第１端子接続構造体４０Ａに電気接続体１１を固定させることができるので、一方の端子金具１０の接続作業性に優れたものとなる。
【００３１】
また、この第１端子接続構造体４０Ａは、かかる構成を採っているので、平板状の電気接続体に貫通孔が形成された端子金具で、かつ、挿入経路４２に沿って挟持位置まで挿入させることが可能な端子金具であるならば、それが専用品としての端子金具であろうが既存の端子金具（一方の端子金具１０）であろうが、その端子金具を接続対象として用いることができる。
【００３２】
具体的に、本実施形態の挟持構造４１は、電気接続体１１の平板部１１ｂにおける一方の平面１１ｂ１に対して押圧力を作用させ且つ貫通孔１１ａを覆う第１押圧部４１ａと、その平板部１１ｂにおける他方の平面１１ｂ２に対して押圧力を作用させる少なくとも１つの第２押圧部４１ｂと、を備える（図１、図３及び図４）。この例示の挟持構造４１は、１つの第１押圧部４１ａと２つの第２押圧部４１ｂとを備えている。
【００３３】
この例示の第１押圧部４１ａは、一方の平面４１ａ１を平板部１１ｂの一方の平面１１ｂ１に対向配置させる矩形の片体であり、その一方の平面４１ａ１から平板部１１ｂの一方の平面１１ｂ１に対して押圧力を作用させる（図３及び図４）。この第１押圧部４１ａは、電気接続部材３０の主体３１に対して、その主体３１の平面に対する直交方向にずらし、かつ、その直交方向と一方の平面４１ａ１に対する直交方向とが同じ向きを向くように配置する。また、この第１押圧部４１ａは、長手方向が電気接続体１１の挿入経路４２に沿うように配置する。この第１押圧部４１ａの長手方向における一辺は、主体３１の端部３１ａに対して、矩形の片体状の連結部４１ｃを介して繋いでいる（図３から図５）。この第１押圧部４１ａは、その連結部４１ｃと主体３１の端部３１ａとの連結箇所を固定端とし、長手方向における他辺を自由端とする片持ち形状を採っている。この第１押圧部４１ａは、可撓性を有しており、連結部４１ｃ側を支点にして撓ませることができる。
【００３４】
係止部４３は、その第１押圧部４１ａから突出させる。この例示では、その第１押圧部４１ａの中央部分を一方の平面４１ａ１から半球面状に膨出させており、その膨出部分を係止部４３として利用する。
【００３５】
また、この例示の第２押圧部４１ｂは、一方の平面４１ｂ１を平板部１１ｂの他方の平面１１ｂ２に対向配置させる矩形の片体であり、その一方の平面４１ｂ１から平板部１１ｂの他方の平面１１ｂ２に対して押圧力を作用させる（図３及び図４）。この第２押圧部４１ｂは、電気接続部材３０の主体３１と同一の平面上で、その主体３１の端部３１ａから延在させる（図３から図５）。この第２押圧部４１ｂは、その延在方向が長手方向となり、その長手方向が電気接続体１１の挿入経路４２に沿うように形成する。この第２押圧部４１ｂは、主体３１の端部３１ａに連結される長手方向における一辺を固定端とし、長手方向における他辺を自由端とする片持ち形状を採っている。この第２押圧部４１ｂは、可撓性を有しており、固定端側を支点にして撓ませることができる。それぞれの第２押圧部４１ｂは、貫通孔１１ａを間に挟んで平板部１１ｂの他方の平面１１ｂ２に各々対向配置させる。
【００３６】
この挟持構造４１においては、第１押圧部４１ａと第２押圧部４１ｂのそれぞれの自由端側が電気接続体１１の挿入口となる。また、この挟持構造４１においては、第１押圧部４１ａの一方の平面４１ａ１が含まれた仮想平面と第２押圧部４１ｂの一方の平面４１ｂ１が含まれた仮想平面との間の距離が、電気接続体１１の挿入作業を阻害しない範囲内で平板部１１ｂの板厚よりも狭くなるように、第１押圧部４１ａと第２押圧部４１ｂとを形成する。
【００３７】
この第１端子接続構造体４０Ａにおいては、その挿入口から電気接続体１１が挿入された際に、平板部１１ｂの一方の平面１１ｂ１が第１押圧部４１ａを押し動かして撓ませると共に、平板部１１ｂの他方の平面１１ｂ２が第２押圧部４１ｂを押し動かして撓ませる。この第１端子接続構造体４０Ａにおいては、電気接続体１１が挿入経路４２に沿って挟持位置まで挿入された際に、係止部４３が電気接続体１１の貫通孔１１ａに進入して、第１押圧部４１ａと第２押圧部４１ｂのそれぞれの撓み量が減少する。その際、この第１端子接続構造体４０Ａにおいては、第１押圧部４１ａと第２押圧部４１ｂとで電気接続体１１の平板部１１ｂを挟持すると共に、一対の貫通孔１１ａと係止部４３によって、第１押圧部４１ａと第２押圧部４１ｂとに対する電気接続体１１の相対的な位置ずれの発生を抑えることができる。
【００３８】
第２端子接続構造体４０Ｂは、先に示したように、第１端子接続構造体４０Ａと同様の形状に形成する。よって、第２端子接続構造体４０Ｂは、電気接続体２１の平板部２１ｂを挟持する挟持構造４１と、電気接続体２１を挟持構造４１による挟持位置まで挿入させる挿入経路４２と、その挟持構造４１で挟持されている電気接続体２１の貫通孔２１ａに進入して、その貫通孔２１ａの内周壁面側を係止することができる係止部４３と、を有する（図４及び図５）。そして、この第２端子接続構造体４０Ｂの挟持構造４１は、電気接続体２１の平板部２１ｂにおける一方の平面２１ｂ１に対して押圧力を作用させ且つ貫通孔２１ａを覆う第１押圧部４１ａと、その平板部２１ｂにおける他方の平面２１ｂ２に対して押圧力を作用させる２つの第２押圧部４１ｂと、を備える（図１及び図４）。また、この第２端子接続構造体４０Ｂの係止部４３は、その第１押圧部４１ａから膨出部として突出させる。
【００３９】
但し、この第２端子接続構造体４０Ｂにおいては、第１押圧部４１ａ及び第２押圧部４１ｂを第１端子接続構造体４０Ａの第１押圧部４１ａ及び第２押圧部４１ｂとは逆向きに延在させる。この第２端子接続構造体４０Ｂの第１押圧部４１ａは、主体３１の端部３１ｂに連結部４１ｃを介して繋がれている（図４及び図５）。その端部３１ｂは、主体３１において、端部３１ａとは逆側に対向配置されている。この第２端子接続構造体４０Ｂの第２押圧部４１ｂは、その端部３１ｂから延在させる。
【００４０】
この第２端子接続構造体４０Ｂにおいては、第１押圧部４１ａと第２押圧部４１ｂのそれぞれの自由端側の挿入口から電気接続体２１が挿入された際に、平板部２１ｂの一方の平面２１ｂ１が第１押圧部４１ａを押し動かして撓ませると共に、平板部２１ｂの他方の平面２１ｂ２が第２押圧部４１ｂを押し動かして撓ませる。この第２端子接続構造体４０Ｂにおいては、電気接続体２１が挿入経路４２に沿って挟持位置まで挿入された際に、係止部４３が電気接続体２１の貫通孔２１ａに進入して、第１押圧部４１ａと第２押圧部４１ｂのそれぞれの撓み量が減少する。その際、この第２端子接続構造体４０Ｂにおいては、第１押圧部４１ａと第２押圧部４１ｂとで電気接続体２１の平板部２１ｂを挟持すると共に、一対の貫通孔２１ａと係止部４３によって、第１押圧部４１ａと第２押圧部４１ｂとに対する電気接続体２１の相対的な位置ずれの発生を抑えることができる。従って、本実施形態の端子接続構造１は、この第２端子接続構造体４０Ｂにおいても、その挟持構造４１による平板部２１ｂに対する挟持力と、一対の貫通孔２１ａと係止部４３による電気接続体２１の位置ずれ抑止機構と、によって、電気接続体２１を固定することができる。
【００４１】
更に、本実施形態の端子接続構造１においては、この第２端子接続構造体４０Ｂにおいても、挟持構造４１による挟持位置までの電気接続体２１の挿入経路４２が設けられているので、その挟持位置まで電気接続体２１を差し入れていくことによって、係止部４３を貫通孔２１ａに進入させることができる。つまり、本実施形態の端子接続構造１は、第２端子接続構造体４０Ｂに対する電気接続体２１の簡易な接続作業を行うだけで、その第２端子接続構造体４０Ｂに電気接続体２１を固定させることができるので、他方の端子金具２０の接続作業性に優れたものとなる。
【００４２】
以上示したように、本実施形態の端子接続構造１は、それぞれの端子金具１０，２０の接続作業性に優れており、かつ、既存の端子金具（一方の端子金具１０）を適用することもできる。
【００４３】
ここで、この端子接続構造１は、筐体ＪＢ１ａに収容することによって、電気接続箱ＪＢ１の構成要素の１つとなる（図１及び図２）。その電気接続箱ＪＢ１は、下記の如く筐体ＪＢ１ａの内方から外方に引き出された電線Ｗｅ，Ｗｅ０と共に、ワイヤハーネスＷＨ１を構成する。よって、端子接続構造１は、電気接続箱ＪＢ１の筐体ＪＢ１ａに収容することによって、ワイヤハーネスＷＨ１の構成要素の１つともなる。
【００４４】
その筐体ＪＢ１ａは、一方の端子金具１０と他方の端子金具２０と電気接続部材３０と端子接続構造体４０とを収容するものとして、合成樹脂等の絶縁性材料で成形する。例えば、この筐体ＪＢ１ａにおいては、端子接続構造体４０を有する電気接続部材３０が内方に収容され且つ固定される。この例示の筐体ＪＢ１ａには、他方の端子金具２０及び端子金具ＥＰ１と共に電子部品ＥＰが収容される。
【００４５】
この筐体ＪＢ１ａにおいては、内方の第１端子接続構造体４０Ａに対して、電線Ｗｅの端末に取り付けられた一方の端子金具１０の電気接続体１１が挿入され且つ固定される。これにより、この筐体ＪＢ１ａにおいては、その電線Ｗｅが内方から外方に引き出された形となる。また、この筐体ＪＢ１ａにおいては、電子部品ＥＰを収容した際に、内方の第２端子接続構造体４０Ｂに対して、他方の端子金具２０の電気接続体２１が挿入され且つ固定される。尚、この筐体ＪＢ１ａにおいては、端末に端子金具ＥＰ１を取り付けた電線Ｗｅ０が内方から外方に引き出されている。
【００４６】
このように、本実施形態の端子接続構造１は、電気接続箱ＪＢ１やワイヤハーネスＷＨ１の構成要素の１つとなる。従って、本実施形態の電気接続箱ＪＢ１及びワイヤハーネスＷＨ１は、この端子接続構造１が奏する効果を同様に得ることができる。
【００４７】
［変形例１］
図６から図１０の符号１０１は、本変形例の端子接続構造を示す。また、図６及び図７の符号ＪＢ２と符号ＷＨ２は、各々、その端子接続構造１０１を備えた本変形例の電気接続箱と、この電気接続箱ＪＢ２を備えた本変形例のワイヤハーネスと、を示す。尚、前述した実施形態と同じ符号で付したものは、本変形例の説明においても実施形態と同じ部品や部位等を示すものとする。但し、本変形例の説明では、便宜上、平板部１１ｂのそれぞれの平面１１ｂ１，１１ｂ２を指し示す位置と、平板部２１ｂのそれぞれの平面２１ｂ１，２１ｂ２を指し示す位置と、が実施形態とは逆になっている。
【００４８】
本変形例の端子接続構造１０１は、前述した実施形態の端子接続構造１と同じように、一方の端子金具１０と他方の端子金具２０とを電気的に接続させるために用意されたものである（図６、図８及び図９）。
【００４９】
この端子接続構造１０１は、一方の端子金具１０を他方の端子金具２０に対して電気的に接続させる導電性の電気接続部材１３０を備える（図６から図１０）。その電気接続部材１３０は、金属等の導電性材料で成形する。この例示の電気接続部材１３０は、金属板を母材にして板状にプレス成形された所謂バスバと称されるものであり、平板状の主体１３１を有する。
【００５０】
この端子接続構造１０１は、実施形態の端子接続構造１の具体例と同じように、電気接続部材１３０が有する端子接続構造体１４０を備えている（図６から図１０）。そして、本変形例においても、他方の端子金具２０は、貫通孔２１ａが形成された平板状の電気接続体２１を有している。従って、本変形例の電気接続部材１３０は、一方の端子金具１０側と他方の端子金具２０側の双方に端子接続構造体１４０（第１端子接続構造体１４０Ａ、第２端子接続構造体１４０Ｂ）を設けている。この電気接続部材１３０は、第１端子接続構造体１４０Ａで一方の端子金具１０を物理的且つ電気的に接続させ、第２端子接続構造体１４０Ｂで他方の端子金具２０を物理的且つ電気的に接続させる。
【００５１】
ここで、第１端子接続構造体１４０Ａと第２端子接続構造体１４０Ｂは、各々同じ形状のものとして形成する。このため、以下においては、それぞれの代表として第１端子接続構造体１４０Ａを詳述し、第２端子接続構造体１４０Ｂを簡略な説明に止める。
【００５２】
第１端子接続構造体１４０Ａは、実施形態の第１端子接続構造体４０Ａと同じように、電気接続体１１の平板部１１ｂを挟持する挟持構造１４１と、電気接続体１１を挟持構造１４１による挟持位置まで挿入させる挿入経路１４２と、その挟持構造１４１で挟持されている電気接続体１１の貫通孔１１ａに進入して、その貫通孔１１ａの内周壁面側を係止することができる係止部１４３と、を有する（図６、図９及び図１０）。
【００５３】
この第１端子接続構造体１４０Ａは、実施形態の第１端子接続構造体４０Ａと同じように、その挟持構造１４１による平板部１１ｂに対する挟持力によって、電気接続体１１を保持することができる。また、この第１端子接続構造体１４０Ａは、実施形態の第１端子接続構造体４０Ａと同じように、一対の貫通孔１１ａと係止部１４３によって、電気接続体１１の相対的な位置ずれの発生を抑えることができる。従って、本変形例の端子接続構造１０１は、実施形態の端子接続構造１と同じように、その挟持構造１４１による平板部１１ｂに対する挟持力と、一対の貫通孔１１ａと係止部１４３による電気接続体１１の位置ずれ抑止機構と、によって、第１端子接続構造体１４０Ａで電気接続体１１を固定することができる。
【００５４】
更に、この第１端子接続構造体１４０Ａにおいては、実施形態の第１端子接続構造体４０Ａと同じように、挟持構造１４１による挟持位置までの電気接続体１１の挿入経路１４２が設けられているので、その挟持位置まで電気接続体１１を差し入れていくことによって、係止部１４３を貫通孔１１ａに進入させることができる。つまり、本変形例の端子接続構造１０１は、実施形態の端子接続構造１と同じように、第１端子接続構造体１４０Ａに対する電気接続体１１の簡易な接続作業を行うだけで、その第１端子接続構造体１４０Ａに電気接続体１１を固定させることができるので、一方の端子金具１０の接続作業性に優れたものとなる。
【００５５】
また、この第１端子接続構造体１４０Ａは、かかる構成を採っているので、平板状の電気接続体に貫通孔が形成された端子金具で、かつ、挿入経路１４２に沿って挟持位置まで挿入させることが可能な端子金具であるならば、それが専用品としての端子金具であろうが既存の端子金具（一方の端子金具１０）であろうが、その端子金具を接続対象として用いることができる。
【００５６】
具体的に、本変形例の挟持構造１４１は、電気接続体１１の平板部１１ｂにおける一方の平面１１ｂ１に対して押圧力を作用させ且つ貫通孔１１ａを覆う第１押圧部１４１ａと、その平板部１１ｂにおける他方の平面１１ｂ２に対して押圧力を作用させる２つの第２押圧部１４１ｂと、を備える（図６から図１０）。
【００５７】
この例示の第１押圧部１４１ａは、一方の平面１４１ａ１を平板部１１ｂの一方の平面１１ｂ１に対向配置させる矩形の片体であり、その一方の平面１４１ａ１から平板部１１ｂの一方の平面１１ｂ１に対して押圧力を作用させる（図８及び図９）。この第１押圧部１４１ａは、電気接続部材１３０の主体１３１と同一の平面上で、その主体１３１の端部１３１ａから延在させる（図８から図１０）。この第１押圧部１４１ａにおいては、その延在方向を電気接続体１１の挿入経路４２に沿わせる。
【００５８】
また、この例示の第２押圧部１４１ｂは、固定端を第１押圧部１４１ａに設けると共に、自由端を平板部１１ｂの他方の平面１１ｂ２に対向配置させ、かつ、その自由端における平板部１１ｂの他方の平面１１ｂ２に対する対向壁面から平板部１１ｂの他方の平面１１ｂ２に対して押圧力を作用させる片持ちの片体である（図８及び図９）。この第２押圧部１４１ｂは、その自由端を平板部１１ｂの他方の平面１１ｂ２と貫通孔１１ａとに対向配置させる。また、この第２押圧部１４１ｂには、可撓性を持たせる。ここでは、第１押圧部１４１ａの延在方向に対する直交方向の一端を弧状に折り曲げ加工して折り返し、これにより第１押圧部１４１ａに対向配置された弧状の片体から成る半筒体を一方の第２押圧部１４１ｂとして利用する。また、ここでは、第１押圧部１４１ａの延在方向に対する直交方向の他端を弧状に折り曲げ加工して折り返し、これにより第１押圧部１４１ａに対向配置された弧状の片体から成る半筒体を他方の第２押圧部１４１ｂとして利用する。この例示の第２押圧部１４１ｂは、そのような半筒体の筒軸方向が第１押圧部１４１ａの延在方向に沿うように形成している。
【００５９】
係止部１４３は、それぞれの第２押圧部１４１ｂにおける自由端から各々突出させる（図６から図１０）。ここでは、その自由端における貫通孔１１ａに対向配置されている部位から片体状の係止部１４３を突出させている。この係止部１４３は、第１押圧部１４１ａの一方の平面１４１ａ１に向けて突出させる一方で、その一方の平面１４１ａ１に当接させないように突出させる。この例示の係止部１４３は、その突出方向側の先端部を上底とし、第２押圧部１４１ｂの自由端側を下底とする台形状に形成している。よって、この係止部１４３は、第２押圧部１４１ｂの筒軸方向に沿う両端が傾斜面になっている。
【００６０】
この挟持構造１４１においては、第１押圧部１４１ａの延在方向の端部側と当該延在方向における第２押圧部１４１ｂの端部側とが電気接続体１１の挿入口になる。また、この挟持構造１４１においては、第１押圧部１４１ａの一方の平面１４１ａ１とそれぞれの第２押圧部１４１ｂの自由端における対向壁面との間の距離が、平板部１１ｂの板厚よりも狭くなるように、第１押圧部１４１ａと第２押圧部１４１ｂとを形成する。
【００６１】
この第１端子接続構造体１４０Ａにおいては、その挿入口から電気接続体１１が挿入され、その電気接続体１１が第１押圧部１４１ａの一方の平面１４１ａ１に係止されながら係止部１４３の傾斜面に力を加えることによって、第２押圧部１４１ｂが撓みながら押し広げられ、この第２押圧部１４１ｂの自由端が第１押圧部１４１ａの一方の平面１４１ａ１から離れていく。この第１端子接続構造体１４０Ａにおいては、電気接続体１１が挿入経路１４２に沿って挟持位置まで挿入された際に、係止部１４３が電気接続体１１の貫通孔１１ａに進入して、第２押圧部１４１ｂの撓み量が減少し、第２押圧部１４１ｂの自由端における対向壁面が平板部１１ｂの他方の平面１１ｂ２に当接して押圧力を作用させる。その際、この第１端子接続構造体１４０Ａにおいては、第１押圧部１４１ａと第２押圧部１４１ｂとで電気接続体１１の平板部１１ｂを挟持すると共に、一対の貫通孔１１ａと係止部１４３によって、第１押圧部１４１ａと第２押圧部１４１ｂとに対する電気接続体１１の相対的な位置ずれの発生を抑えることができる。
【００６２】
第２端子接続構造体１４０Ｂは、先に示したように、第１端子接続構造体１４０Ａと同様の形状に形成する。よって、第２端子接続構造体１４０Ｂは、電気接続体２１の平板部２１ｂを挟持する挟持構造１４１と、電気接続体２１を挟持構造１４１による挟持位置まで挿入させる挿入経路１４２と、その挟持構造１４１で挟持されている電気接続体２１の貫通孔２１ａに進入して、その貫通孔２１ａの内周壁面側を係止することができる係止部１４３と、を有する（図９及び図１０）。そして、この第２端子接続構造体１４０Ｂの挟持構造１４１は、電気接続体２１の平板部２１ｂにおける一方の平面２１ｂ１に対して押圧力を作用させ且つ貫通孔１１ａを覆う第１押圧部１４１ａと、その平板部２１ｂにおける他方の平面２１ｂ２に対して押圧力を作用させる２つの第２押圧部１４１ｂと、を備える。
【００６３】
但し、この第２端子接続構造体１４０Ｂにおいては、第１押圧部１４１ａ及び第２押圧部１４１ｂを第１端子接続構造体１４０Ａの第１押圧部１４１ａ及び第２押圧部１４１ｂとは逆向きに延在させる。この第２端子接続構造体１４０Ｂの第１押圧部１４１ａは、主体１３１の端部１３１ｂから延在させる（図８から図１０）。その端部１３１ｂは、主体１３１において、端部１３１ａとは逆側に対向配置されている。
【００６４】
この第２端子接続構造体１４０Ｂにおいては、挿入口（第１押圧部１４１ａの延在方向の端部側と当該延在方向における第２押圧部１４１ｂの端部側）から電気接続体２１が挿入され、その電気接続体２１が第１押圧部１４１ａの一方の平面１４１ａ１に係止されながら係止部１４３の傾斜面に力を加えることによって、第２押圧部１４１ｂが撓みながら押し広げられ、この第２押圧部１４１ｂの自由端が第１押圧部１４１ａの一方の平面１４１ａ１から離れていく。この第２端子接続構造体１４０Ｂにおいては、電気接続体２１が挿入経路１４２に沿って挟持位置まで挿入された際に、係止部１４３が電気接続体２１の貫通孔２１ａに進入して、第２押圧部１４１ｂの撓み量が減少し、第２押圧部１４１ｂの自由端における対向壁面が平板部２１ｂの他方の平面２１ｂ２に当接して押圧力を作用させる。その際、この第２端子接続構造体１４０Ｂにおいては、第１押圧部１４１ａと第２押圧部１４１ｂとで電気接続体２１の平板部２１ｂを挟持すると共に、一対の貫通孔２１ａと係止部１４３によって、第１押圧部１４１ａと第２押圧部１４１ｂとに対する電気接続体２１の相対的な位置ずれの発生を抑えることができる。従って、本変形例の端子接続構造１０１は、この第２端子接続構造体１４０Ｂにおいても、その挟持構造１４１による平板部２１ｂに対する挟持力と、一対の貫通孔２１ａと係止部１４３による電気接続体２１の位置ずれ抑止機構と、によって、電気接続体２１を固定することができる。
【００６５】
更に、本変形例の端子接続構造１０１においては、この第２端子接続構造体１４０Ｂにおいても、挟持構造１４１による挟持位置までの電気接続体２１の挿入経路１４２が設けられているので、その挟持位置まで電気接続体２１を差し入れていくことによって、係止部１４３を貫通孔２１ａに進入させることができる。つまり、本変形例の端子接続構造１０１は、第２端子接続構造体１４０Ｂに対する電気接続体２１の簡易な接続作業を行うだけで、その第２端子接続構造体１４０Ｂに電気接続体２１を固定させることができるので、他方の端子金具２０の接続作業性に優れたものとなる。
【００６６】
以上示したように、本変形例の端子接続構造１０１は、それぞれの端子金具１０，２０の接続作業性に優れており、かつ、既存の端子金具（一方の端子金具１０）を適用することもできる。
【００６７】
ここで、この端子接続構造１０１は、筐体ＪＢ２ａに収容することによって、電気接続箱ＪＢ２の構成要素の１つとなる（図６及び図７）。その電気接続箱ＪＢ２は、下記の如く筐体ＪＢ２ａの内方から外方に引き出された電線Ｗｅ，Ｗｅ０と共に、ワイヤハーネスＷＨ２を構成する。よって、端子接続構造１０１は、電気接続箱ＪＢ２の筐体ＪＢ２ａに収容することによって、ワイヤハーネスＷＨ２の構成要素の１つともなる。
【００６８】
この例示の筐体ＪＢ２ａは、前述した実施形態の筐体ＪＢ１ａに対して、基本的に同様の形状のものとして成形されているが、電気接続部材１３０の収容構造や保持構造を当該電気接続部材１３０の形状に合わせて変えている。
【００６９】
この筐体ＪＢ２ａにおいては、内方の第１端子接続構造体１４０Ａに対して、電線Ｗｅの端末に取り付けられた一方の端子金具１０の電気接続体１１が挿入され且つ固定される。これにより、この筐体ＪＢ２ａにおいては、その電線Ｗｅが内方から外方に引き出された形となる。また、この筐体ＪＢ２ａにおいては、電子部品ＥＰを収容した際に、内方の第２端子接続構造体１４０Ｂに対して、他方の端子金具２０の電気接続体２１が挿入され且つ固定される。尚、この筐体ＪＢ２ａにおいては、端末に端子金具ＥＰ１を取り付けた電線Ｗｅ０が内方から外方に引き出されている。
【００７０】
このように、本変形例の端子接続構造１０１は、電気接続箱ＪＢ２やワイヤハーネスＷＨ２の構成要素の１つとなる。従って、本変形例の電気接続箱ＪＢ２及びワイヤハーネスＷＨ２は、この端子接続構造１０１が奏する効果を同様に得ることができる。
【００７１】
［変形例２］
図１１から図１５の符号２０１は、本変形例の端子接続構造を示す。また、図１１及び図１２の符号ＪＢ３と符号ＷＨ３は、各々、その端子接続構造２０１を備えた本変形例の電気接続箱と、この電気接続箱ＪＢ３を備えた本変形例のワイヤハーネスと、を示す。尚、前述した実施形態と同じ符号で付したものは、本変形例の説明においても実施形態と同じ部品や部位等を示すものとする。但し、本変形例の説明では、便宜上、平板部１１ｂのそれぞれの平面１１ｂ１，１１ｂ２を指し示す位置と、平板部２１ｂのそれぞれの平面２１ｂ１，２１ｂ２を指し示す位置と、が実施形態とは逆になっている。
【００７２】
本変形例の端子接続構造２０１は、前述した実施形態の端子接続構造１と同じように、一方の端子金具１０と他方の端子金具２０とを電気的に接続させるために用意されたものである（図１１から図１５）。
【００７３】
この端子接続構造２０１は、一方の端子金具１０を他方の端子金具２０に対して電気的に接続させる導電性の電気接続部材２３０を備える（図１１から図１５）。その電気接続部材２３０は、金属等の導電性材料で成形する。この例示の電気接続部材２３０は、金属板を母材にして板状にプレス成形された所謂バスバと称されるものであり、平板状の主体２３１を有する。
【００７４】
この端子接続構造２０１は、実施形態の端子接続構造１の具体例と同じように、電気接続部材２３０が有する端子接続構造体２４０を備えている（図１１から図１５）。そして、本変形例においても、他方の端子金具２０は、貫通孔２１ａが形成された平板状の電気接続体２１を有している。従って、本変形例の電気接続部材２３０は、一方の端子金具１０側と他方の端子金具２０側の双方に端子接続構造体２４０（第１端子接続構造体２４０Ａ、第２端子接続構造体２４０Ｂ）を設けている。この電気接続部材２３０は、第１端子接続構造体２４０Ａで一方の端子金具１０を物理的且つ電気的に接続させ、第２端子接続構造体２４０Ｂで他方の端子金具２０を物理的且つ電気的に接続させる。
【００７５】
第１端子接続構造体２４０Ａは、実施形態の第１端子接続構造体４０Ａと同じように、電気接続体１１の平板部１１ｂを挟持する挟持構造２４１と、電気接続体１１を挟持構造２４１による挟持位置まで挿入させる挿入経路２４２と、その挟持構造２４１で挟持されている電気接続体１１の貫通孔１１ａに進入して、その貫通孔１１ａの内周壁面側を係止することができる係止部２４３と、を有する（図１４及び図１５）。
【００７６】
この第１端子接続構造体２４０Ａは、実施形態の第１端子接続構造体４０Ａと同じように、その挟持構造２４１による平板部１１ｂに対する挟持力によって、電気接続体１１を保持することができる。また、この第１端子接続構造体２４０Ａは、実施形態の第１端子接続構造体４０Ａと同じように、一対の貫通孔１１ａと係止部２４３によって、電気接続体１１の相対的な位置ずれの発生を抑えることができる。従って、本変形例の端子接続構造２０１は、実施形態の端子接続構造１と同じように、その挟持構造２４１による平板部１１ｂに対する挟持力と、一対の貫通孔１１ａと係止部２４３による電気接続体１１の位置ずれ抑止機構と、によって、第１端子接続構造体２４０Ａで電気接続体１１を固定することができる。
【００７７】
更に、この第１端子接続構造体２４０Ａにおいては、実施形態の第１端子接続構造体４０Ａと同じように、挟持構造２４１による挟持位置までの電気接続体１１の挿入経路２４２が設けられているので、その挟持位置まで電気接続体１１を差し入れていくことによって、係止部２４３を貫通孔１１ａに進入させることができる。つまり、本変形例の端子接続構造２０１は、実施形態の端子接続構造１と同じように、第１端子接続構造体２４０Ａに対する電気接続体１１の簡易な接続作業を行うだけで、その第１端子接続構造体２４０Ａに電気接続体１１を固定させることができるので、一方の端子金具１０の接続作業性に優れたものとなる。
【００７８】
また、この第１端子接続構造体２４０Ａは、かかる構成を採っているので、平板状の電気接続体に貫通孔が形成された端子金具で、かつ、挿入経路２４２に沿って挟持位置まで挿入させることが可能な端子金具であるならば、それが専用品としての端子金具であろうが既存の端子金具（一方の端子金具１０）であろうが、その端子金具を接続対象として用いることができる。
【００７９】
具体的に、本変形例の挟持構造２４１は、電気接続体１１の平板部１１ｂにおける一方の平面１１ｂ１に対向配置される対向壁体２４１ａを備える（図１１から図１５）。その対向壁体２４１ａは、一方の平面２４１ａ１を平板部１１ｂの一方の平面１１ｂ１に対向配置させる矩形の片体であり、電気接続部材２３０の主体２３１と同一の平面上で、その主体２３１の端部２３１ａから延在させる（図１３及び図１４）。この対向壁体２４１ａにおいては、その延在方向を電気接続体１１の挿入経路２４２に沿わせる。
【００８０】
係止部２４３は、その対向壁体２４１ａから突出させる。この例示では、その対向壁体２４１ａの中央部分に２つの長孔２４１ｃを形成し、それぞれの長孔２４１ｃの間の矩形で且つ両持ちの片体を係止部２４３として利用する（図１５）。それぞれの長孔２４１ｃは、長手方向を対向壁体２４１ａの延在方向に沿わせ、かつ、短手方向で互いに間隔を空けて形成する。係止部２４３は、長孔２４１ｃの長手方向に沿う矩形の弧状体であり、一方の平面２４１ａ１から突出させる。この係止部２４３には、可撓性を持たせる。
【００８１】
本変形例の挟持構造２４１は、この係止部２４３を利用して、平板部１１ｂにおける一方の平面１１ｂ１に押圧力を作用させる。この例示の係止部２４３は、貫通孔１１ａの直径よりも、固定端の間の直線距離が長くなるように形成する。これにより、挟持位置での係止部２４３は、貫通孔１１ａに進入することができると共に、それぞれの固定端側を一方の平面１１ｂ１側での貫通孔１１ａの内周壁面側に対して押圧力を作用させることができる。
【００８２】
更に、本変形例の挟持構造２４１は、平板部１１ｂにおける他方の平面１１ｂ２に対して押圧力を作用させる少なくとも１つの押圧部２４１ｂを備える（図１１から図１５）。その押圧部２４１ｂは、一方の平面２４１ｂ１を平板部１１ｂの他方の平面１１ｂ２に対向配置させる矩形の片体であり、その一方の平面２４１ｂ１から平板部１１ｂの他方の平面１１ｂ２に対して押圧力を作用させる（図１４）。この例示では、２つの押圧部２４１ｂを設けている。例えば、押圧部２４１ｂは、対向壁体２４１ａの延在方向に沿って延在させる。そして、それぞれの押圧部２４１ｂは、貫通孔１１ａを間に挟んで平板部１１ｂの他方の平面１１ｂ２に各々対向配置させる。ここでは、対向壁体２４１ａの延在方向に対する直交方向の一端を折り曲げ加工して折り返し、これにより対向壁体２４１ａに対向配置された矩形の片体を一方の押圧部２４１ｂとして利用する。また、ここでは、対向壁体２４１ａの延在方向に対する直交方向の他端を折り曲げ加工して折り返し、これにより対向壁体２４１ａに対向配置された矩形の片体を他方の押圧部２４１ｂとして利用する。
【００８３】
この挟持構造２４１においては、対向壁体２４１ａと押圧部２４１ｂのそれぞれの延在方向の端部側が電気接続体１１の挿入口になる。また、この挟持構造２４１においては、対向壁体２４１ａの一方の平面２４１ａ１と押圧部２４１ｂの一方の平面２４１ｂ１との間の距離が、平板部１１ｂの板厚よりも広くなるように、対向壁体２４１ａと押圧部２４１ｂとを形成する。一方、この挟持構造２４１においては、係止部２４３の頂点とそれぞれの押圧部２４１ｂの一方の平面２４１ｂ１が含まれた仮想平面との間の距離が、電気接続体１１の挿入作業を阻害しない範囲内で平板部１１ｂの板厚よりも狭くなるように、係止部２４３と押圧部２４１ｂとを形成する。
【００８４】
この第１端子接続構造体２４０Ａにおいては、その挿入口から電気接続体１１が挿入され、電気接続体１１が係止部２４３に到達した際に、平板部１１ｂの他方の平面１１ｂ２が押圧部２４１ｂの一方の平面２４１ｂ１で係止されると共に、平板部１１ｂの一方の平面１１ｂ１が係止部２４３を押し動かして撓ませる。この第１端子接続構造体２４０Ａにおいては、電気接続体１１が挿入経路２４２に沿って挟持位置まで挿入された際に、係止部２４３の撓み量が減少して、この係止部２４３が電気接続体１１の貫通孔１１ａに進入すると共に、この係止部２４３のそれぞれの固定端側が一方の平面１１ｂ１側での貫通孔１１ａの内周壁面側に当接して押圧力を作用させる。その際、この第１端子接続構造体２４０Ａにおいては係止部２４３と押圧部２４１ｂとで電気接続体１１の平板部１１ｂを挟持すると共に、一対の貫通孔１１ａと係止部２４３によって、対向壁体２４１ａと押圧部２４１ｂとに対する電気接続体１１の相対的な位置ずれの発生を抑えることができる。
【００８５】
ここで、この第１端子接続構造体２４０Ａは、挟持位置まで挿入されてきた電気接続体１１を係止する位置決め係止部２４４を有する（図１２及び図１５）。その位置決め係止部２４４は、それぞれの押圧部２４１ｂに１つずつ設けている。
【００８６】
第２端子接続構造体２４０Ｂは、第１端子接続構造体２４０Ａと同じように、電気接続体２１の平板部２１ｂを挟持する挟持構造２４１と、電気接続体２１を挟持構造２４１による挟持位置まで挿入させる挿入経路２４２と、その挟持構造２４１で挟持されている電気接続体２１の貫通孔２１ａに進入して、その貫通孔２１ａの内周壁面側を係止することができる係止部２４３と、を有する（図１４及び図１５）。そして、この第２端子接続構造体２４０Ｂの挟持構造２４１は、第１端子接続構造体２４０Ａの挟持構造２４１と同じように、電気接続体２１の平板部２１ｂにおける一方の平面２１ｂ１に対向配置される対向壁体２４１ａと、その対向壁体２４１ａから突出させ且つ貫通孔２１ａの内周壁面側に押圧力を作用させる係止部２４３と、平板部２１ｂにおける他方の平面２１ｂ２に対して押圧力を作用させる２つの押圧部２４１ｂと、を備える。
【００８７】
但し、この第２端子接続構造体２４０Ｂの押圧部２４１ｂは、固定端を対向壁体２４１ａに設けると共に、自由端を平板部２１ｂの他方の平面２１ｂ２に対向配置させ、かつ、その自由端における平板部２１ｂの他方の平面２１ｂ２に対する対向壁面（端面２４１ｂ２）から平板部２１ｂの他方の平面２１ｂ２に対して押圧力を作用させる片持ちの片体である（図１５）。この押圧部２４１ｂは、対向壁体２４１ａの延在方向に沿って延在させる。そして、それぞれの押圧部２４１ｂは、貫通孔２１ａを間に挟んで平板部２１ｂの他方の平面２１ｂ２に各々対向配置させる。ここでは、対向壁体２４１ａの延在方向に対する直交方向の一端を折り曲げ加工して折り返し、これにより対向壁体２４１ａに対向配置された半筒体を一方の押圧部２４１ｂとして利用する。また、ここでは、対向壁体２４１ａの延在方向に対する直交方向の他端を折り曲げ加工して折り返し、これにより対向壁体２４１ａに対向配置された半筒体を他方の押圧部２４１ｂとして利用する。この第２端子接続構造体２４０Ｂの押圧部２４１ｂは、そのような半筒体の筒軸方向が対向壁体２４１ａの延在方向に沿うように形成している。
【００８８】
この第２端子接続構造体２４０Ｂにおいては、対向壁体２４１ａ及び押圧部２４１ｂを第１端子接続構造体２４０Ａの対向壁体２４１ａ及び押圧部２４１ｂとは逆向きに延在させる。この第２端子接続構造体２４０Ｂの対向壁体２４１ａは、主体２３１の端部２３１ｂから延在させる（図１４及び図１５）。その端部２３１ｂは、主体２３１において、端部２３１ａとは逆側に対向配置されている。
【００８９】
この第２端子接続構造体２４０Ｂの挟持構造２４１においては、対向壁体２４１ａと押圧部２４１ｂのそれぞれの延在方向の端部側が電気接続体２１の挿入口になる。また、この挟持構造２４１においては、対向壁体２４１ａの一方の平面２４１ａ１と押圧部２４１ｂの端面２４１ｂ２との間の距離が、平板部２１ｂの板厚よりも広くなるように、対向壁体２４１ａと押圧部２４１ｂとを形成する。一方、この挟持構造２４１においては、係止部２４３の頂点とそれぞれの押圧部２４１ｂの端面２４１ｂ２が含まれた仮想平面との間の距離が、電気接続体２１の挿入作業を阻害しない範囲内で平板部２１ｂの板厚よりも狭くなるように、係止部２４３と押圧部２４１ｂとを形成する。
【００９０】
この第２端子接続構造体２４０Ｂにおいては、その挿入口から電気接続体２１が挿入され、電気接続体２１が係止部２４３に到達した際に、平板部２１ｂの他方の平面２１ｂ２が押圧部２４１ｂの端面２４１ｂ２で係止されると共に、平板部２１ｂの一方の平面２１ｂ１が係止部２４３を押し動かして撓ませる。この第２端子接続構造体２４０Ｂにおいては、電気接続体２１が挿入経路２４２に沿って挟持位置まで挿入された際に、係止部２４３の撓み量が減少して、この係止部２４３が電気接続体２１の貫通孔２１ａに進入すると共に、この係止部２４３のそれぞれの固定端側が一方の平面２１ｂ１側での貫通孔２１ａの内周壁面側に当接して押圧力を作用させる。その際、この第２端子接続構造体２４０Ｂにおいては係止部２４３と押圧部２４１ｂとで電気接続体２１の平板部２１ｂを挟持すると共に、一対の貫通孔２１ａと係止部２４３によって、対向壁体２４１ａと押圧部２４１ｂとに対する電気接続体２１の相対的な位置ずれの発生を抑えることができる。従って、本変形例の端子接続構造２０１は、この第２端子接続構造体２４０Ｂにおいても、その挟持構造２４１による平板部２１ｂに対する挟持力と、一対の貫通孔２１ａと係止部２４３による電気接続体２１の位置ずれ抑止機構と、によって、電気接続体２１を固定することができる。
【００９１】
更に、本変形例の端子接続構造２０１においては、この第２端子接続構造体２４０Ｂにおいても、挟持構造２４１による挟持位置までの電気接続体２１の挿入経路２４２が設けられているので、その挟持位置まで電気接続体２１を差し入れていくことによって、係止部２４３を貫通孔２１ａに進入させることができる。つまり、本変形例の端子接続構造２０１は、第２端子接続構造体２４０Ｂに対する電気接続体２１の簡易な接続作業を行うだけで、その第２端子接続構造体２４０Ｂに電気接続体２１を固定させることができるので、他方の端子金具２０の接続作業性に優れたものとなる。
【００９２】
以上示したように、本変形例の端子接続構造２０１は、それぞれの端子金具１０，２０の接続作業性に優れており、かつ、既存の端子金具（一方の端子金具１０）を適用することもできる。
【００９３】
ここで、この端子接続構造２０１は、筐体ＪＢ３ａに収容することによって、電気接続箱ＪＢ３の構成要素の１つとなる（図１１及び図１２）。その電気接続箱ＪＢ３は、下記の如く筐体ＪＢ３ａの内方から外方に引き出された電線Ｗｅ，Ｗｅ０と共に、ワイヤハーネスＷＨ３を構成する。よって、端子接続構造２０１は、電気接続箱ＪＢ３の筐体ＪＢ３ａに収容することによって、ワイヤハーネスＷＨ３の構成要素の１つともなる。
【００９４】
この例示の筐体ＪＢ３ａは、前述した実施形態の筐体ＪＢ１ａに対して、基本的に同様の形状のものとして成形されているが、電気接続部材２３０の収容構造や保持構造を当該電気接続部材２３０の形状に合わせて変えている。
【００９５】
この筐体ＪＢ３ａにおいては、内方の第１端子接続構造体２４０Ａに対して、電線Ｗｅの端末に取り付けられた一方の端子金具１０の電気接続体１１が挿入され且つ固定される。これにより、この筐体ＪＢ３ａにおいては、その電線Ｗｅが内方から外方に引き出された形となる。また、この筐体ＪＢ３ａにおいては、電子部品ＥＰを収容した際に、内方の第２端子接続構造体２４０Ｂに対して、他方の端子金具２０の電気接続体２１が挿入され且つ固定される。尚、この筐体ＪＢ３ａにおいては、端末に端子金具ＥＰ１を取り付けた電線Ｗｅ０が内方から外方に引き出されている。
【００９６】
このように、本変形例の端子接続構造２０１は、電気接続箱ＪＢ３やワイヤハーネスＷＨ３の構成要素の１つとなる。従って、本変形例の電気接続箱ＪＢ３及びワイヤハーネスＷＨ３は、この端子接続構造２０１が奏する効果を同様に得ることができる。
【００９７】
［変形例３］
図１６から図２０の符号３０１は、本変形例の端子接続構造を示す。また、図１６の符号ＪＢ４と符号ＷＨ４は、各々、その端子接続構造３０１を備えた本変形例の電気接続箱と、この電気接続箱ＪＢ４を備えた本変形例のワイヤハーネスと、を示す。尚、前述した実施形態と同じ符号で付したものは、本変形例の説明においても実施形態と同じ部品や部位等を示すものとする。但し、本変形例の説明では、便宜上、平板部１１ｂのそれぞれの平面１１ｂ１，１１ｂ２を指し示す位置と、平板部２１ｂのそれぞれの平面２１ｂ１，２１ｂ２を指し示す位置と、が実施形態とは逆になっている。
【００９８】
本変形例の端子接続構造３０１は、前述した実施形態の端子接続構造１と同じように、一方の端子金具１０と他方の端子金具２０とを電気的に接続させるために用意されたものである。尚、この例示では、他方の端子金具２０の図示を省略している。
【００９９】
この端子接続構造３０１は、一方の端子金具１０を他方の端子金具２０に対して電気的に接続させる導電性の電気接続部材３３０を備える（図１６から図１８）。その電気接続部材３３０は、金属等の導電性材料で成形する。この例示の電気接続部材３３０は、金属板を母材にして板状にプレス成形された所謂バスバと称されるものである。この電気接続部材３３０は、電気接続体１１の平板部１１ｂとの間で、互いの一方の平面３３１ａ，１１ｂ１同士を重ね合わせて電気的に接続させる平板状の電気接続部３３１を有している（図１６及び図１８）。その電気接続部３３１には、円形の貫通孔３３２を形成している。
【０１００】
この端子接続構造３０１は、実施形態の端子接続構造１の具体例とは異なり、電気接続部材３３０に対して電気的に接続される別体の導電性の端子接続構造体３４０を備えている（図１６から図２０）。その端子接続構造体３４０は、これとは別体の電気接続部材３３０に対して一方の端子金具１０を物理的且つ電気的に接続させるものである。尚、この端子接続構造３０１は、他方の端子金具２０が貫通孔２１ａ付きの平板状の電気接続体２１を有している場合、この他方の端子金具２０を電気接続部材３３０に対して物理的且つ電気的に接続させるためのものとして、一方の端子金具１０側と同じ端子接続構造体３４０を備えていてもよい。
【０１０１】
本変形例の端子接続構造体３４０は、電気接続体１１の平板部１１ｂを挟持する挟持構造３４１と、電気接続体１１を挟持構造３４１による挟持位置まで挿入させる挿入経路３４２と、その挟持構造３４１で挟持されている電気接続体１１の貫通孔１１ａに進入して、その貫通孔１１ａの内周壁面側を係止することができる係止部３４３と、を有する（図１８）。
【０１０２】
この端子接続構造体３４０は、その挟持構造３４１による平板部１１ｂに対する挟持力によって、電気接続体１１を保持することができる。また、この端子接続構造体３４０は、一対の貫通孔１１ａと係止部３４３によって、電気接続体１１の相対的な位置ずれの発生を抑えることができる。従って、本変形例の端子接続構造３０１は、その挟持構造３４１による平板部１１ｂに対する挟持力と、一対の貫通孔１１ａと係止部３４３による電気接続体１１の位置ずれ抑止機構と、によって、端子接続構造体３４０で電気接続体１１を固定することができる。
【０１０３】
更に、この端子接続構造体３４０においては、挟持構造３４１による挟持位置までの電気接続体１１の挿入経路３４２が設けられているので、その挟持位置まで電気接続体１１を差し入れていくことによって、係止部３４３を貫通孔１１ａに進入させることができる。つまり、本変形例の端子接続構造３０１は、端子接続構造体３４０に対する電気接続体１１の簡易な接続作業を行うだけで、その端子接続構造体３４０に電気接続体１１を固定させることができるので、一方の端子金具１０の接続作業性に優れたものとなる。
【０１０４】
具体的に、本変形例の挟持構造３４１は、互いの一方の平面１１ｂ１，３３１ａ同士を重ね合わせたままで電気接続体１１の平板部１１ｂと電気接続部材３３０の電気接続部３３１とを挟持するものとして形成する。この挟持構造３４１は、電気接続体１１の平板部１１ｂにおける他方の平面１１ｂ２に対して押圧力を作用させ且つ貫通孔１１ａを覆う第１押圧部３４１ａと、電気接続部３３１の他方の平面３３１ｂに対して押圧力を作用させることによって、この電気接続部３３１を介して平板部１１ｂの一方の平面１１ｂ１に対して押圧力を作用させる第２押圧部３４１ｂと、を備える（図１６及び図１８）。
【０１０５】
本変形例の端子接続構造体３４０は、その挟持構造３４１の他に、第１押圧部３４１ａから突出させた先の係止部（以下、「第１係止部」という。）３４３と、挟持構造３４１で挟持されている電気接続部３３１の貫通孔３３２に進入して、この電気接続部３３１の貫通孔３３２の内周壁面側を係止することができる第２係止部３４４と、を有する（図１６及び図１８）。この例示では、その第１係止部３４３と第２係止部３４４とを対向配置させている。
【０１０６】
この例示の第１押圧部３４１ａは、弧状に湾曲させた矩形の片体であり、凸側の一方の弧状面３４１ａ１を平板部１１ｂの他方の平面１１ｂ２に対向配置させ（図１７及び図１８）、その一方の弧状面３４１ａ１から平板部１１ｂの他方の平面１１ｂ２に対して押圧力を作用させる（図示略）。この例示では、この第１押圧部３４１ａにおける弧状の頂面の中央部分を一方の弧状面３４１ａ１から半球面状に膨出させており、その膨出部分を第１係止部３４３として利用する。
【０１０７】
この例示の第２押圧部３４１ｂは、一方の平面３４１ｂ１を電気接続部３３１の他方の平面３３１ｂに対向配置させる矩形の片体であり、その一方の平面３４１ｂ１から電気接続部３３１の他方の平面３３１ｂに対して押圧力を作用させる（図１８）。この例示では、この第２押圧部３４１ｂの中央部分を一方の平面３４１ｂ１から半球面状に膨出させており、その膨出部分を第２係止部３４４として利用する。
【０１０８】
この挟持構造３４１においては、第１押圧部３４１ａと第２押圧部３４１ｂの一方の端部同士を弧状の連結部３４１ｃで繋いでいる（図１６から図２０）。この挟持構造３４１においては、第１押圧部３４１ａに可撓性を持たせており、連結部３４１ｃ側を支点にして撓ませることができる。
【０１０９】
本変形例の端子接続構造体３４０は、更に、第２押圧部３４１ｂの一方の平面３４１ｂ１との間で電気接続部３３１を挟持するための押圧部３４５を２箇所に有する（図１７、図１９及び図２０）。その押圧部３４５は、弧状に湾曲させた片体であり、凸側の一方の弧状面３４５ａを電気接続部３３１の一方の平面３３１ａに対向配置させ、その一方の弧状面３４５ａから電気接続部３３１の一方の平面３３１ａに対して押圧力を作用させる。この例示の押圧部３４５は、第２押圧部３４１ｂの一方の端部側に配置している。押圧部３４５と第２押圧部３４１ｂは、一方の端部同士が連結部３４６で繋がれている。押圧部３４５は、可撓性を有しており、連結部３４６側を支点にして撓ませることができる。
【０１１０】
この挟持構造３４１においては、第１押圧部３４１ａと第２押圧部３４１ｂの他方の端部側が電気接続体１１の挿入口となる。よって、端子接続構造体３４０においては、第１押圧部３４１ａと第２押圧部３４１ｂの他方の端部側から一方の端部側に向かう方向が電気接続体１１の挿入経路３４２になる。また、挟持構造３４１においては、第２押圧部３４１ｂの一方の平面３４１ｂ１と当該一方の平面３４１ｂ１に平行で且つ第１押圧部３４１ａの頂面が含まれた仮想平面との間の距離が、電気接続体１１の挿入作業を阻害しない範囲内で平板部１１ｂと電気接続部３３１の板厚の合計値よりも狭くなるように、第１押圧部３４１ａと第２押圧部３４１ｂとを形成する。
【０１１１】
この端子接続構造体３４０においては、例えば、電気接続部材３３０の電気接続部３３１を挿入口から挿入し、この電気接続部３３１の貫通孔３３２に第２係止部３４４を進入させ、かつ、この電気接続部３３１を第２押圧部３４１ｂと押圧部３４５とで挟持しておく。
【０１１２】
この端子接続構造体３４０においては、電気接続部３３１を挟持している状態で挿入口から電気接続体１１が挿入された際に、平板部１１ｂの一方の平面１１ｂ１が電気接続部３３１に係止されながら、平板部１１ｂの他方の平面１１ｂ２が第１押圧部３４１ａを押し動かして撓ませる。この端子接続構造体３４０においては、電気接続体１１が挿入経路３４２に沿って挟持位置まで挿入された際に、第１係止部３４３が電気接続体１１の貫通孔１１ａに進入して、第１押圧部３４１ａの撓み量が減少する。その際、この端子接続構造体３４０においては、第１押圧部３４１ａと第２押圧部３４１ｂとで電気接続体１１の平板部１１ｂと電気接続部３３１とを挟持する。そして、この端子接続構造体３４０においては、一対の貫通孔１１ａと第１係止部３４３によって、第１押圧部３４１ａと第２押圧部３４１ｂとに対する電気接続体１１の相対的な位置ずれの発生を抑えることができ、かつ、一対の貫通孔３３２と第２係止部３４４によって、第１押圧部３４１ａと第２押圧部３４１ｂとに対する電気接続部３３１の相対的な位置ずれの発生を抑えることができる。従って、本変形例の端子接続構造３０１は、実施形態の端子接続構造１と同じように、その挟持構造３４１による平板部１１ｂに対する挟持力と、一対の貫通孔１１ａと第１係止部３４３による電気接続体１１の位置ずれ抑止機構と、によって、端子接続構造体３４０で電気接続体１１を固定することができる。
【０１１３】
更に、この端子接続構造体３４０においては、実施形態の第１端子接続構造体４０Ａと同じように、挟持構造３４１による挟持位置までの電気接続体１１の挿入経路３４２が設けられているので、その挟持位置まで電気接続体１１を差し入れていくことによって、第１係止部３４３を貫通孔１１ａに進入させることができる。つまり、本変形例の端子接続構造３０１は、実施形態の端子接続構造１と同じように、端子接続構造体３４０に対する電気接続体１１の簡易な接続作業を行うだけで、その端子接続構造体３４０に電気接続体１１を固定させることができるので、一方の端子金具１０の接続作業性に優れたものとなる。
【０１１４】
また、この端子接続構造体３４０は、かかる構成を採っているので、平板状の電気接続体に貫通孔が形成された端子金具で、かつ、挿入経路３４２に沿って挟持位置まで挿入させることが可能な端子金具であるならば、それが専用品としての端子金具であろうが既存の端子金具（一方の端子金具１０）であろうが、その端子金具を接続対象として用いることができる。
【０１１５】
このように、本変形例の端子接続構造３０１は、それぞれの端子金具１０，２０の接続作業性に優れており、かつ、既存の端子金具（一方の端子金具１０）を適用することもできる。
【０１１６】
ここで、この端子接続構造３０１は、筐体ＪＢ４ａに収容することによって、電気接続箱ＪＢ４の構成要素の１つとなる（図１６及び図１８）。その電気接続箱ＪＢ４は、下記の如く筐体ＪＢ４ａの内方から外方に引き出された電線Ｗｅと共に、ワイヤハーネスＷＨ４を構成する。よって、端子接続構造３０１は、電気接続箱ＪＢ４の筐体ＪＢ４ａに収容することによって、ワイヤハーネスＷＨ４の構成要素の１つともなる。
【０１１７】
その筐体ＪＢ４ａは、一方の端子金具１０と他方の端子金具２０と電気接続部材３３０と端子接続構造体３４０とを収容するものとして、合成樹脂等の絶縁性材料で成形する。この例示では、一方の端子金具１０と電気接続部材３３０とを端子接続構造体３４０で予め接続しておく。筐体ＪＢ４ａにおいては、その接続体を内方に収容し且つ固定する。これにより、この筐体ＪＢ４ａにおいては、一方の端子金具１０に取り付けられている電線Ｗｅが内方から外方に引き出された形となる。
【０１１８】
このように、本変形例の端子接続構造３０１は、電気接続箱ＪＢ４やワイヤハーネスＷＨ４の構成要素の１つとなる。従って、本変形例の電気接続箱ＪＢ４及びワイヤハーネスＷＨ４は、この端子接続構造３０１が奏する効果を同様に得ることができる。
【符号の説明】
【０１１９】
１，１０１，２０１，３０１  端子接続構造
１０  一方の端子金具
１１  電気接続体
１１ａ  貫通孔
１１ｂ  平板部
１１ｂ１  一方の平面
１１ｂ２  他方の平面
２０  他方の端子金具
２１  電気接続体
２１ａ  貫通孔
２１ｂ  平板部
２１ｂ１  一方の平面
２１ｂ２  他方の平面
３０，１３０，２３０，３３０  電気接続部材
４０，１４０，２４０，３４０  端子接続構造体
４０Ａ，１４０Ａ，２４０Ａ  第１端子接続構造体
４０Ｂ，１４０Ｂ，２４０Ｂ  第２端子接続構造体
４１，１４１，２４１，３４１  挟持構造
４１ａ，１４１ａ，３４１ａ  第１押圧部
４１ｂ，１４１ｂ，３４１ｂ  第２押圧部
４２，１４２，２４２，３４２  挿入経路
４３，１４３，２４３  係止部
２４１ａ  対向壁体
２４１ｂ  押圧部
３３１  電気接続部
３３１ａ  一方の平面
３３１ｂ  他方の平面
３３２  貫通孔
３４３  第１係止部
３４４  第２係止部
ＪＢ１，ＪＢ２，ＪＢ３，ＪＢ４  電気接続箱
ＪＢ１ａ，ＪＢ２ａ，ＪＢ３ａ，ＪＢ４ａ  筐体
Ｗｅ，Ｗｅ０  電線
ＷＨ１，ＷＨ２，ＷＨ３，ＷＨ４  ワイヤハーネス
【図１】
2020021679.tif 000003
【図２】
2020021679.tif 000004
【図３】
2020021679.tif 000005
【図４】
2020021679.tif 000006
【図５】
2020021679.tif 000007
【図６】
2020021679.tif 000008
【図７】
2020021679.tif 000009
【図８】
2020021679.tif 000010
【図９】
2020021679.tif 000011
【図１０】
2020021679.tif 000012
【図１１】
2020021679.tif 000013
【図１２】
2020021679.tif 000014
【図１３】
2020021679.tif 000015
【図１４】
2020021679.tif 000016
【図１５】
2020021679.tif 000017
【図１６】
2020021679.tif 000018
【図１７】
2020021679.tif 000019
【図１８】
2020021679.tif 000020
【図１９】
2020021679.tif 000021
【図２０】
2020021679.tif 000022